(57)【要約】【課題】本発明は給湯機のリモートコントローラにおいて、所定の入浴法の実践を容易に行うことを課題とするものである。【解決手段】制御部は計時手段が計時する時間の経過毎に表示部に表示する表示内容と音声出力部の出力する音声内容を変化させるので、所定の入浴方法を案内することができる。【選択図】　図１
2004144358.tif 000002
【特許請求の範囲】
【請求項１】
給湯機と、前記給湯機の動作状態を設定・表示するためのリモートコントローラからなり、前記リモートコントローラは動作条件を設定する設定手段と、動作状態を表示する表示部と、音声及びメロディを出力する音声出力部と、時間を計時する計時手段と、前記表示部と前記音声出力部を制御する制御部を備え、前記制御部は前記計時手段が計時する時間の経過毎に前記表示部に表示する表示内容と前記音声出力部の出力する音声内容を変化させ、所定の入浴方法を案内することを特徴とする給湯機のリモートコントローラ。
【請求項２】
制御部は計時手段が計時する時間の経過毎に入浴及び非入浴を促す表示及び音声を出力するようにした請求項１記載の給湯機のリモートコントローラ。
【請求項３】
制御部は計時手段が計時する時間の経過毎に所定の姿勢及び所定の運動動作を促す表示及び音声を出力するようにした請求項１記載の給湯機のリモートコントローラ。
【請求項４】
制御部は計時手段が計時する時間の経過毎に、設定手段に設定されている浴槽水温度、浴槽水量、給湯機運転状態を変更することを促す表示及び音声を出力するようにした請求項１記載の給湯機のリモートコントローラ。
【請求項５】
制御部は計時手段が計時する時間の経過毎に、設定手段に設定されている浴槽水温度、浴槽水量、給湯機運転状態を変更するようにした請求項１記載の給湯機のリモートコントローラ。
【発明の詳細な説明】
【０００１】
【発明の属する技術分野】
本発明は、給湯機の浴室内に設置するリモートコントローラに関するものである。
【０００２】
【従来の技術】
従来のこの種の給湯機のリモートコントローラ（以下リモコンと呼ぶ）では図３に示すように、設定手段１と、表示部２と、音声及びメロディを出力する音声出力部３と、表示部２と音声出力部３を制御する制御部４のように構成されている。
【０００３】
そして上記従来の給湯機のリモコンでは使用者が設定手段１を操作すると、操作の結果設定された設定状態や運転状態を表示部２に表示するとともに、音声出力部３で設定状態や運転状態を音声によって案内するようにしていた。
【０００４】
【発明が解決しようとする課題】
一般に健康増進を目的とする様々な入浴の方法が民間療法として普及している。これらの入浴法では入浴するときの浴槽水温度、浴槽水量、入浴する時間の長さ、入浴中の姿勢や運動などを定めている。使用者はこの内容に従い入浴法を実践しようとするが、入浴法で指示される内容が多いため非常にわかりにくい。また、各動作毎に時間を決めて実践するものについては、各動作毎に時間を計ることが煩雑である。従来の給湯機のリモコンは表示や音声によって案内する機能を持つものの、給湯機の運転状態や設定状態のみ案内しないため、このような入浴法の実践において何も寄与することができないという課題があった。
【０００５】
【課題を解決するための手段】
本発明は上記課題を解決するため給湯機と、前記給湯機の動作状態を設定・表示するためのリモートコントローラからなり、前記リモートコントローラは動作条件を設定する設定手段と、動作状態を表示する表示部と、音声及びメロディを出力する音声出力部と、時間を計時する計時手段と、前記表示部と前記音声出力部を制御する制御部を備え、前記制御部は前記計時手段が計時する時間の経過毎に前記表示部に表示する表示内容と前記音声出力部の出力する音声内容を変化させ、所定の入浴方法を案内するようにしたものである。
【０００６】
上記発明によれば計時手段で時間を計測するので、使用者が自ら時間を計測する必要がない。そして時間の経過毎に表示や音声が変化するので、手順が多い入浴法であっても表示や音声に従うだけで所定の入浴方法を実践することができる。
【０００７】
【発明の実施の形態】
本発明の請求項１にかかる給湯機のリモートコントローラは給湯機と、前記給湯機の運転状態を設定・表示するためのリモートコントローラからなり、前記リモートコントローラは動作条件を設定する設定手段と、動作状態を表示する表示部と、音声及びメロディを出力する音声出力部と、時間を計時する計時手段と、前記表示部と前記音声出力部を制御する制御部を有する。
【０００８】
そして、制御部は計時手段が計時する時間の経過毎に表示部に表示する表示内容と音声出力部の出力する音声内容を変化させるため、表示と音声により所定の入浴方法を案内することができる。
【０００９】
本発明の請求項２にかかる給湯機のリモートコントローラは制御部は計時手段が計時する時間の経過毎に入浴及び非入浴を促す表示及び音声を出力するようにしたため、使用者が自ら時間を計測することなく、入浴、非入浴を繰り返す入浴法を実践することができる。
【００１０】
本発明の請求項３にかかる給湯機のリモートコントローラは制御部は計時手段が計時する時間の経過毎に浴槽内での姿勢及び所定の運動動作を促す表示及び音声を出力するようにしたため、パターンが複雑であっても容易に入浴中に運動を行う入浴法を実践することができる。
【００１１】
本発明の請求項４にかかる給湯機のリモートコントローラは制御部は計時手段が計時する時間の経過毎に、設定手段に設定されている浴槽水温度、浴槽水量、給湯機運転状態を変更することを促す表示及び音声を出力するようにしたため、入浴法に必要な条件を間違うことなく設定することができる。
【００１２】
本発明の請求項５にかかる給湯機のリモートコントローラは制御部は計時手段が計時する時間の経過毎に、設定手段に設定されている浴槽水温度、浴槽水量、給湯機運転状態を変更するようにしたため、入浴法に必要な条件を自動的に設定することができる。
【００１３】
【実施例】
以下、本発明の実施例について図面を用いて説明する。
【００１４】
（実施例１）
図１は本発明の実施例１の給湯機のリモートコントローラ（以下リモコンと呼ぶ）を示す構成図、図２はある一つの入浴法を案内する場合の表示、音声内容を表す図である。
【００１５】
図１において給湯機と、給湯機の運転状態を設定・表示するためのリモコンからなり、１は設定手段で給湯機がコントロールする浴槽水量、浴槽水温度などの設定や、給湯機の運転状態の設定、及び各種選択条件の選択を行う場合に操作される。２は表示部で設定手段１で設定されている状態や給湯機の動作状態を表示する。３は音声及びメロディを出力する音声出力部、５は時間を計時する計時手段、４は表示部２と音声出力部３を制御する制御部である。
【００１６】
次に動作、作用について図２に基づき説明する。図２に表示部２での表示内容、計時手段５での計時状態、音声出力部３の音声内容が計時時間の進行に応じて変化する様子を示す。使用者は所望の入浴法の案内を選択するために設定手段１を操作する。図２の例では入浴、非入浴を繰り返すことで新陳代謝を促す入浴法を選択された場合を示す。設定手段１で入浴法が選定されると制御部４は計時手段５に計時時間「５分」をセットするとともに、計時手段５は計時を開始する。表示部２は計時時間「５分」を表示する。同時に制御部４は音声出力部３に５分間の入浴を促す音声を出力させる（ステップ１）。
【００１７】
計時手段１が１分間計時する毎に表示部２は時間表示値を１ずつ減らして表示する。５分間が計時されると、表示部２に「０分」を表示するとともに、制御部４は音声出力部３に浴槽から出ることを促す音声と入浴再開時の操作を説明する音声を出力させる（ステップ２）。
【００１８】
使用者は浴槽から出ると、洗髪などを行い非入浴状態をしばらく継続する。入浴再開時は設定手段１を操作することで、入浴再開したことが制御部４に伝達される。制御部４は計時手段５に計時時間「８分」をセットするとともに、計時手段５は計時を開始する。表示部２は計時時間「８分」を表示する。同時に制御部４は音声出力部３に８分間の入浴を促す音声を出力させる（ステップ３）。
【００１９】
計時手段１が１分計時する毎に表示部２は時間表示値を１ずつ減らして表示する。８分が計時されると、表示部２に「０分」を表示するとともに、制御部４は音声出力部３に浴槽から出ることを促す音声と入浴再開時の操作を説明する音声を出力させる（ステップ４）。
【００２０】
使用者は浴槽から出ると、体を洗い非入浴状態をしばらく継続する。入浴再開時は設定手段１を操作することで、入浴再開したことが制御部４に伝達される。制御部４は計時手段５に計時時間「８分」をセットするとともに、計時手段５は計時を開始する。表示部２は計時時間「８分」を表示する。同時に制御部４は音声出力部３に８分間の入浴を促す音声を出力させる（ステップ５）。
【００２１】
計時手段１が１分計時する毎に表示部２は時間表示値を１ずつ減らして表示する。８分が計時されると、表示部２に「０分」を表示するとともに、制御部４は音声出力部３に浴槽から出ることを促す音声と一連の入浴パターンが終了したことを案内する音声を出力させる（ステップ６）。
【００２２】
このように表示部２の表示内容と音声出力部３の音声に従うことで、複雑な手順を覚えたり、使用者が自ら時間を計測することなく入浴・非入浴を繰り返す入浴法を実践することができる。
【００２３】
図２に示した入浴法以外に、浴槽内で手足をマッサージする入浴法がある。この場合も計時手段１の計時時間経過に応じて、制御部４がマッサージ手順を説明する表示や音声を表示部２と音声出力部３に出力することで、マッサージの手順を覚えなくとも容易に浴槽内でマッサージを実践することができる。音声出力部３からマッサージのテンポを示す音声やメロディを出力することにより、無理のない適切なマッサージ効果を生むこともできる。
【００２４】
また、入浴時の心拍値上昇を低減するために、浴槽水量を心臓より下までにすることや、浴槽水温度を低めにすることが一般的に推奨されている。入浴開始時において、制御部４は適切な浴槽水量、浴槽水温度に設定手段１を設定することを促す音声も出力する。更には制御部４が直接設定手段１を適切な浴槽水量、浴槽水温度に設定することもできる。
【００２５】
【発明の効果】
以上説明したように本発明の請求項１に係る給湯機のリモートコントローラは制御部は計時手段が計時する時間の経過毎に前記表示部に表示する表示内容と前記音声出力部の出力する音声内容を変化させるので、表示と音声に従えば所定の入浴法を容易に実践できるという効果がある。
【００２６】
また、請求項２に係る給湯機のリモートコントローラは制御部は計時手段が計時する時間の経過毎に入浴及び非入浴を促す表示及び音声を出力するようにしたので、表示と音声に従えば、入浴、非入浴を繰り返す入浴法を使用者が時間を計らずとも実践できるという効果がある。
【００２７】
また、請求項３に係る給湯機のリモートコントローラは制御部は計時手段が計時する時間の経過毎に浴槽内での姿勢及び所定の運動動作を促す表示及び音声を出力するようにしたので、表示と音声に従えば浴槽内で運動を行う入浴法を間違うことなく実践できるという効果がある。
【００２８】
また、請求項４に係る給湯機のリモートコントローラは制御部は計時手段が計時する時間の経過毎に、設定手段に設定されている浴槽水温度、浴槽水量、給湯機運転状態を変更することを促す表示及び音声を出力するようにしたので、入浴法に必要な条件を間違いなく設定できるという効果がある。
【００２９】
また、請求項５に係る給湯機のリモートコントローラは制御部は計時手段が計時する時間の経過毎に、設定手段に設定されている浴槽水温度、浴槽水量、給湯機運転状態を変更するようにしたので、使用者が設定せずとも入浴法に必要な条件が自動的に設定されるという効果がある。
【図面の簡単な説明】
【図１】本発明の実施例１における給湯機のリモートコントローラの構成図
【図２】同給湯機のリモートコントローラの表示、音声の内容を示す図
【図３】従来の給湯機のリモートコントローラの構成図
【符号の説明】
１　設定手段
２　表示部
３　音声出力部
４　制御部
５　計時手段
【図１】
2004144358.tif 000003
【図２】
2004144358.tif 000004
【図３】
2004144358.tif 000005